(57)【特許請求の範囲】
【請求項１】
前面が遊技者に対面する部材に取り付けられる遊技機用のボタンユニットであって、
遊技者による押圧動作によって移動する操作部と、
前記操作部の移動に伴って動的に変化することで演出を行う演出部と、
前記操作部の移動を伝達することで前記演出部に動的変化を行わせる伝達機構と、
を備えることを特徴とする遊技機用のボタンユニット。
【請求項２】
請求項１に記載の遊技機用のボタンユニットにおいて、
前記伝達機構は、
周囲に螺旋状の溝部を有する軸状に形成されるとともに前記操作部の移動方向に長手方向が沿う姿勢で一方の端部が前記操作部に取り付けられて周方向に回転可能な回転軸と、
前記回転軸の前記溝部に係合し、前記操作部が移動する際に、係合する前記回転軸の回転を補助する回転補助部と、
を有し、
さらに、前記回転軸には前記演出部が取り付けられており、前記操作部の移動に伴って前記回転軸が回転する際に前記演出部を前記回転軸とともに回転させることで前記操作部の移動を伝達すること
を特徴とする遊技機用のボタンユニット。
【請求項３】
請求項１または請求項２の何れか１項に記載の遊技機用のボタンユニットにおいて、
前記操作部の移動を検出可能な検出部と、
前記演出部に向けて光を照射可能な光源と、
前記検出部によって前記操作部の移動が検出された場合に、前記光源を制御して前記演出部に向けて光を照射させる制御部と、
を備えることを特徴とする遊技機用のボタンユニット。
【請求項４】
請求項３に記載の遊技機用のボタンユニットにおいて、
前記演出部は、前記光源によって照射される光を反射するよう構成されていることを特徴とする遊技機用のボタンユニット。
【発明の詳細な説明】
【技術分野】
【０００１】
本発明は、遊技機の技術分野に属し、詳しくは遊技機に装着されるボタンユニットに関する。
【背景技術】
【０００２】
パチンコ機に代表される弾球遊技機やスロットマシン等の遊技機には、遊技に関連して遊技者が使用する各種操作部が設けられている。
この種の操作部として、遊技に演出を加えるための演出ボタンがある。この演出ボタンは、ボタンユニットとして遊技機の前面パネルに装備され、例えば、遊技者が遊技中に演出ボタンを押すと、遊技盤上での表示内容を変化したり遊技盤上の可動部材が作動したりするようになっている。
【０００３】
そして、上述のような演出効果を増大させるため、遊技者に演出ボタンが押された場合に演出ボタンに振動を加える加振手段（振動モータ）を備えたボタンユニットも知られている（例えば、特許文献１参照。）。
【先行技術文献】
【特許文献】
【０００４】
【特許文献１】特開２００７−７５３３１号公報（第８頁、図３，４）
【発明の概要】
【発明が解決しようとする課題】
【０００５】
しかしながら、上述のボタンユニットにおいては、演出効果を増大させるために加振手段という動力源を備える必要があった。
また、上述のような遊技者に演出ボタンが押された場合に演出ボタンに振動を加えることでは新鮮さに欠ける面があった。
【０００６】
本発明は、このような課題に鑑みなされたものであり、その目的とするところは、動力源を必要とせず、新鮮な演出効果を得ることが可能な遊技機用のボタンユニットを提供することにある。
【課題を解決するための手段】
【０００７】
上記課題を解決するためになされた請求項１に係る遊技機用のボタンユニットは、前面が遊技者に対面する部材に取り付けられる遊技機用のボタンユニットであって、遊技者による押圧動作によって移動する操作部と、前記操作部の移動に伴って動的に変化することで演出を行う演出部と、前記操作部の移動を伝達することで前記演出部に動的変化を行わせる伝達機構と、を備えることを特徴とする。
【０００８】
このように構成された本発明の遊技機のボタンユニットによれば、演出部が操作部の移動に伴って動的に変化することで演出を行うことが可能であり、操作部が遊技者による押圧動作によって移動すると、伝達機構が操作部の移動を伝達することで演出部に動的変化を行わせる。
【０００９】
このことにより、ボタンユニットによる演出効果としては従来にない視覚効果を得ることができる。なお、このような演出効果を得るために振動モータなどの動力源を必要としない。したがって、動力源を必要とせず、新鮮な演出効果を得ることが可能な遊技機用のボタンユニットを提供することができる。
【００１０】
請求項２に係る遊技機用のボタンユニットは、請求項１に記載の遊技機用のボタンユニットにおいて、前記伝達機構は、周囲に螺旋状の溝部を有する軸状に形成されるとともに前記操作部の移動方向に長手方向が沿う姿勢で一方の端部が前記操作部に取り付けられて周方向に回転可能な回転軸と、前記回転軸の前記溝部に係合し、前記操作部が移動する際に、係合する前記回転軸の回転を補助する回転補助部と、を有し、さらに、前記回転軸には前記演出部が取り付けられており、前記操作部の移動に伴って前記回転軸が回転する際に前記演出部を前記回転軸とともに回転させることで前記操作部の移動を伝達することを特徴とする。
【００１１】
このように構成された本発明の遊技機のボタンユニットによれば、伝達機構が、操作部の移動に伴って回転軸が回転する際に演出部を回転軸とともに回転させることで操作部の移動を伝達する。操作部の移動が伝達された演出部は動的変化を行う。
【００１２】
このことにより、操作部の移動に伴って演出部を回転させることで遊技者の視覚に訴える新鮮な演出効果を得ることができる。
請求項３に係る遊技機用のボタンユニットは、請求項１または請求項２の何れか１項に記載の遊技機用のボタンユニットにおいて、前記操作部の移動を検出可能な検出部と、前記演出部に向けて光を照射可能な光源と、前記検出部によって前記操作部の移動が検出された場合に、前記光源を制御して前記演出部に向けて光を照射させる制御部と、を備えることを特徴とする。
【００１３】
このように構成された本発明の遊技機のボタンユニットによれば、検出部が操作部の移動を検出可能であり、光源が演出部に向けて光を照射可能であり、検出部によって操作部の移動が検出された場合に、制御部が、光源を制御して演出部に向けて光を照射させる。
【００１４】
このことにより、操作部の移動に伴って動的変化を行う演出部に光を照射することで、遊技者の視覚に訴える新鮮な演出効果を得ることができる。
請求項４に係る遊技機用のボタンユニットは、請求項３に記載の遊技機用のボタンユニットにおいて、前記演出部は、前記光源によって照射される光を反射するよう構成されていることを特徴とする。
【００１５】
このように構成された本発明の遊技機のボタンユニットによれば、動的変化を行っている演出部が光源によって照射される光を反射することにより、遊技者の視覚に訴える新鮮な演出効果を得ることができる。
【図面の簡単な説明】
【００１６】
【図１】実施形態のボタンユニット１の平面図（ａ）、側面図（ｂ）
【図２】実施形態のボタンユニット１の分解平面図
【図３】図１のＡ―Ａ断面図
【図４】図１のＢ―Ｂ断面図
【発明を実施するための形態】
【００１７】
以下に本発明の実施形態を図面とともに説明する。なお、本発明は上記実施形態に限定されるものではなく、様々な態様にて実施することが可能である。
［実施形態］
図１に示す本実施形態のボタンユニット１は、図示しない遊技機（パチンコ機、パチスロ機等）の前面パネル（図示省略）の中央や下部左側などに装備される。なお、前面パネルは前面が遊技者に対面する部材に該当する。前面パネルは遊技機の本体枠（外枠ともいう）にヒンジ構造で連結されており、扉状に開閉可能である。なお、前面パネルは通常は閉じられている。
【００１８】
なお、ボタンユニット１の前面パネルへの取付形態によっては後述する筐体１０の形状が異なる場合や筐体１０がない場合もある。
［１．ボタンユニット１の構成の説明］
ボタンユニット１は、図２に示すように、筐体１０と、押しボタン２０と、ロータリー３０と、基板４０と、フォトセンサ５０と、を備える。
【００１９】
［１．１．筐体１０の構成の説明］
筐体１０は、合成樹脂製であり、図３および図４に示すように、内部が空洞である箱形状の箱体１１の一面に形成された方形の開口１１ａを、板状の蓋部材１２を被せることで閉塞した構造を有している。
【００２０】
また、箱体１１の縁部の一つからはフランジが形成されており、このフランジには、筐体１０をビスで前面パネルに取り付けるための取付孔１１ｂが二つ形成されている（図１（ａ）参照）。
【００２１】
なお、本実施形態では、箱体１１の開口１１ａが形成されて蓋部材１２が取り付けられた側が筐体１０の後方であって蓋部材１２が筐体１０の後面となっており、一方、その反対側が筐体１０の前面となっている。そして、本実施形態では、筐体１０を前面パネルに取り付ける際には、筐体１０の後面が前面パネルに接することになる。
【００２２】
また、箱体１１の四隅（うち二隅については取付孔１１ｂの内側）には、内部に雌螺子部が形成されるボス部１１ｃがそれぞれ設けられている。一方、蓋部材１２の四隅には貫通孔（図示省略）がそれぞれ形成されている。なお、これら箱体１１の四隅のボス部１１ｃおよび蓋部材１２の四隅の貫通孔は、箱体１１の開口１１ａに蓋部材１２を被せた場合に、互いに連通するように配置されている。そして、箱体１１の四隅のボス部１１ｃと蓋部材１２の四隅の貫通孔とを連通させた状態で、蓋部材１２の貫通孔を貫通させたビスを箱体１１のボス部１１ｃに取り付けることにより、箱体１１に蓋部材１２が固定されている。
【００２３】
また、箱体１１の前壁の中央部には円形の開口１１ｄが形成されている（図１（ａ）参照）。また、箱体１１の側壁のうち取付孔１１ｂが形成される側とは反対側の側壁には方形の開口１１ｅが形成されており（図１（ｂ）および図２参照）、さらに、その側壁と直交する側壁の一つには方形の開口１１ｆが形成されている（図２参照）。
【００２４】
また、箱体１１の内部には、棚部材１３が配置されている。この棚部材１３は、合成樹脂製であり、板状の板材１３ａの中央部から円筒状の筒状部材１３ｂが後方に向けて延出する構成を有している。そして、板材１３ａは、円筒状の筒状部材１３ｂの中心線と箱体１１の開口１１ｄの中心線とが一致する姿勢で、箱体１１の前壁に取り付けられている。具体的には、箱体１１の四隅（ボス部１１ｃのさらに内側）には、内部に雌螺子部が形成されるボス部１１ｇがそれぞれ設けられている。一方、板材１３ａの四隅には貫通孔（図示省略）がそれぞれ形成されている。なお、これら箱体１１の四隅のボス部１１ｇおよび板材１３ａの四隅の貫通孔は、円筒状の筒状部材１３ｂの中心線と箱体１１の開口１１ｄの中心線とが一致する姿勢で、互いに連通するように配置されている。そして、箱体１１の四隅のボス部１１ｇと板材１３ａの四隅の貫通孔とを連通させた状態で、板材１３ａの貫通孔を貫通させたビスを箱体１１のボス部１１ｇに取り付けることにより、箱体１１に棚部材１３が固定されている。
【００２５】
また、筒状部材１３ｂの後端は板状の底部材１３ｃで閉塞されている。さらに、底部材１３ｃの中央部には長方形の開口１３ｄが形成されている。そして、この開口１３ｄには、後述する押しボタン２０の回転シャフト２３の中央部２３ａが内挿されている。
【００２６】
また、筒状部材１３ｂの周囲には一対の開口１３ｅが形成されている。なお、開口１３ｅには、後述する押しボタン２０のボタン基部２２の舌片２２ｅが内挿されている。
［１．２．押しボタン２０の構成の説明］
押しボタン２０は、ドーム部２１と、ボタン基部２２と、回転シャフト２３と、コイルばね２７と、を備えている。
【００２７】
ドーム部２１は、透光性を有する合成樹脂（例えばポリカーボネート）製であり、遊技者側（前側）が凸となるドーム状をしている。また、ドーム部２１の先端２１ａにはフランジ２１ｂが外側へ向けて形成されている。なお、このフランジ２１ｂの一部については、ドーム部２１の径方向に沿うよう延出する板状の遮蔽板２１ｃとして形成されている（図４参照）。
【００２８】
なお、ドーム部２１の先端２１ａの外径寸法は、箱体１１の開口１１ｄの外径寸法よりも若干小さく形成されている。一方、ドーム部２１のフランジ２１ｂの外径寸法は、箱体１１の開口１１ｄの外径寸法よりも若干大きく形成されている。
【００２９】
また、ドーム部２１の中央部からは、円筒状の筒状部材２１ｄがドーム部２１の中心線に沿うように後方に向けて延出している。
そして、ドーム部２１は、箱体１１の内部側から箱体１１の開口１１ｄに内挿されており、フランジ２１ｂが箱体１１の開口１１ｄの縁部に当接して開口１１ｄからは抜けないようになっている。
【００３０】
ボタン基部２２は、合成樹脂製であり、円筒状の筒状部材２２ａの後端に形成された板状の底部材２２ｂから円筒状の筒状部材２２ｃがさらに後方に向けて延出する構造を有している。なお、筒状部材２２ａの外径寸法は、ドーム部２１の筒状部材２１ｄの内径寸法よりも若干小さく形成されている。また、筒状部材２２ｃの外径寸法は、箱体１１の筒状部材１３ｂの内径寸法よりも若干小さく形成されている。
【００３１】
また、底部材２２ｂの中央部には円形の開口２２ｄが形成されている。なお、この開口２２ｄには、後述する回転シャフト２３が回転可能に取り付けられている。
また、筒状部材２２ａの後端からは一対の舌片２２ｅが後方に向けて延出している（図３参照）。そして、この舌片２２ｅの先端からは返し２２ｆが径方向へ向けて延出している。さらに、舌片２２ｅの先端がテーパ状に形成されている。このため、舌片２２ｅを棚部材１３の開口１３ｅに容易に挿入可能である。なお、開口１３ｅに挿入された舌片２２ｅは、返し２２ｆによって容易に抜けなくなる。
【００３２】
なお、一対の舌片２２ｅの外表面同士の幅寸法は、ドーム部２１の筒状部材２１ｄの内径寸法よりも若干小さく形成されている。一方、一対の舌片２２ｅの返し２２ｆの外表面同士の幅寸法は、ドーム部２１の筒状部材２１ｄの内径寸法よりも大きく形成されている。
【００３３】
そして、筒状部材２２ａの舌片２２ｅが筒状部材１３ｂの開口１３ｅに内挿されるとともに開口２２ｄに回転シャフト２３が回転可能に取り付けられた状態で、筒状部材２２ａが筒状部材２１ｄに内挿されてドーム部２１の中央部に取り付けられることにより、ボタン基部２２はドーム部２１に取り付けられている。
【００３４】
なお、舌片２２ｅの長さ寸法および筒状部材２２ｃの長さ寸法については、ドーム部２１のフランジ２１ｂが箱体１１の開口１１ｄの縁部に当接して開口１１ｄからは抜けない状態であるときに、返し２２ｆが棚部材１３の開口１３ｅの縁部に当接し且筒状部材２２ｃの先端が筒状部材１３ｂの内部に位置するように設定されている。そして、このときの筒状部材２２ｃの先端と筒状部材１３ｂの後端を閉塞する底部材１３ｃとの間の距離が、押しボタン２０が移動可能な距離となり、この距離寸法の分押しボタン２０を前後方向に移動することができる。
【００３５】
回転シャフト２３は、中央部２３ａが長方形の断面を有する金属製の板材を右巻きに捻ることでスクリュー形状に形成されている。また、回転シャフト２３は、前端部２３ｂが円筒状に形成され、後端部２３ｃが板状に形成されている。
【００３６】
なお、前端部２３ｂの外径寸法は、中央部２３ａおよび後端部２３ｃを形成する断面が長方形である板材の幅寸法よりも小さく設定されており、前端部２３ｂを後述する軸受け２４に内挿した際に、中央部２３ａが軸受け２４に当接するようになっている。
【００３７】
また、前端部２３ｂの前面には、ビスを取り付けるための取付孔２３ｄが回転シャフト２３の中心線に沿って形成されており、取付孔２３ｄの内部には雌螺子部が形成されている。
【００３８】
また、前端部２３ｂがボタン基部２２の底部材２２ｂの開口２２ｄに軸受け２４を介して内挿されるとともに、取付孔２３ｄにはビス２６が取り付けられており、このことにより、回転シャフト２３は、ボタン基部２２の底部材２２ｂに回転可能に取り付けられている。なお、軸受け２４は、一方の端部にフランジが形成された円筒形状を有しており、底部材２２ｂの後側から開口２２ｄに内挿されている。また、軸受け２４の内径寸法は、回転シャフト２３の前端部２３ｂの外径寸法よりも若干大きく設定されている。そして、開口２２ｄに内挿された前端部２３ｂには、円形の板材２５が取り付けられている。具体的には、この板材２５には貫通孔２５ａが形成されており、この貫通孔２５ａに内挿されたビス２６が前端部２３ｂの取付孔２３ｄに取り付けられている。なお、板材２５の外径寸法は底部材２２ｂの開口２２ｄの内径寸法よりも大きく形成されており、回転シャフト２３は開口２２ｄから抜けなくなっている。
【００３９】
一方、後端部２３ｃの側面には、ビスを取り付けるための取付孔２３ｅが回転シャフト２３の中心線に直交する方向に沿って形成されており、取付孔２３ｅの内部には雌螺子部が形成されている。
【００４０】
そして、後端部２３ｃは、その断面形状が棚部材１３の開口１３ｄよりも若干小さく形成されており、棚部材１３の底部材１３ｃに形成された長方形の開口１３ｄに内挿されている。
【００４１】
なお、スクリュー形状の中央部２３ａの長さ寸法については、基部２２の返し２２ｆが棚部材１３の開口１３ｅの縁部に当接する際に、中央部２３ａの下端部が棚部材１３の開口１３ｄの内部に位置し、筒状部材２２ｃの先端が底部材１３ｃに当接する際に、中央部２３ａの上端部が棚部材１３の開口１３ｄの内部に位置するように設定されている。
【００４２】
コイルばね２７は、回転シャフト２３に外挿されるとともにボタン基部２２の筒状部材２２ｃに内挿された状態で、ボタン基部２２の底部材２２ｂと棚部材１３の底部材１３ｃとの間に配置されている。
【００４３】
なお、コイルばね２７は、内径寸法が回転シャフト２３の外径寸法よりも大きく且つ外径寸法がボタン基部２２の筒状部材２２ｃの内径寸法よりも小さく設定されている。また、コイルばね２７は、長手方向の寸法が、ボタン基部２２の底部材２２ｂと棚部材１３の底部材１３ｃとの間の距離寸法よりも大きく設定され、ボタン基部２２の底部材２２ｂと棚部材１３の底部材１３ｃとの間に押し縮めた状態で収納されている。
【００４４】
そして、押しボタン２０を後方へ移動させると、棚部材１３の開口１３ｅの内部に位置するスクリュー形状の中央部２３ａの位置が変化して、中央部２３ａが開口１３ｅの内部で右回り（時計回り）に回転し、これに伴って回転シャフト２３が右回りに回転する。なお、このように押しボタン２０を後方へ移動させると、ボタン基部２２の底部材２２ｂと棚部材１３の底部材１３ｃとの間の距離が小さくなって、ボタン基部２２の底部材２２ｂと棚部材１３の底部材１３ｃとの間に配置されるコイルばね２７をさらに押し縮め、押しボタン２０を前方へ押圧するコイルばね２７の付勢力が大きくなる。一方、押しボタン２０を前方へ移動させると、棚部材１３の開口１３ｅの内部に位置するスクリュー形状の中央部２３ａの位置が変化して、中央部２３ａが開口１３ｅの内部で左回り（反時計回り）に回転し、これに伴って回転シャフト２３が左回りに回転する。なお、このように押しボタン２０を前方へ移動させると、ボタン基部２２の底部材２２ｂと棚部材１３の底部材１３ｃとの間の距離が大きくなって、ボタン基部２２の底部材２２ｂと棚部材１３の底部材１３ｃとの間に配置されるコイルばね２７が伸張し、押しボタン２０を前方へ押圧するコイルばね２７の付勢力が小さくなる。
【００４５】
［１．３．ロータリー３０の構成の説明］
ロータリー３０は、支持部３１と、回転体３２と、カバー３４と、を備える。
支持部３１は、合成樹脂製であり、円筒状に形成されている。この支持部３１には、貫通孔３１ａが径方向に沿って両側面に到達するよう形成されている。また、支持部３１の後端部からは、３つのフランジ部３１ｂが円周を３等分する位置から径方向へそれぞれ延出している。このフランジ部３１ｂは、回転方向（時計回り）とは反対側へ行くに従って径方向へ延出する長さ寸法が長くなるよう形成されており、後端には径方向に沿った平面状に形成されている（平面３１ｃ）。
【００４６】
回転体３２は、合成樹脂製であり、円筒状の回転基部３２ａの側面の円周を８等分する位置から８枚の羽根３２ｂが径方向へそれぞれ延出し、これら８枚の羽根３２ｂの先端が円筒状の筒状部材３２ｃの内壁に接続する構造を有している。
【００４７】
また、羽根３２ｂは、その裏面に銀色のシート材が貼付されており、光を反射する反射体として機能する。なお、羽根３２ｂを光を反射する反射体として機能させるために、羽根３２ｂの裏面に蒸着処理やレンズカット処理を施してもよいし、羽根３２ｂを赤色などの色付きポリカーボネートで形成してもよい。
【００４８】
なお、回転基部３２ａの内径寸法は、支持部３１の外径寸法よりも若干大きく且つ支持部３１のフランジ部３１ｂの外径寸法よりも小さく設定されている。
また、羽根３２ｂは、回転基部３２ａへ取り付けられた部位から先端へ行くに従って回転方向（時計回り）とは反対側へ湾曲するよう形成されている（図２参照）。また、羽根３２ｂは、回転時の前端部が後端部に比べて下方に位置するよう傾斜した姿勢で、回転基部３２ａへ取り付けられている。
【００４９】
そして、回転体３２が支持部３１に外挿されるとともに支持部３１が回転シャフト２３の後端部２３ｃに外挿された状態で、貫通孔３１ａに内挿されたビス３５が後端部２３ｃの取付孔２３ｅに取り付けられることで、支持部３１および回転体３２が回転シャフト２３に取り付けられている。このとき、回転体３２は、上述のように支持部３１に外挿されており、支持部３１のフランジ部３１ｂに下方から支持されて回転可能となっている。
【００５０】
カバー３４は、透光性を有する合成樹脂（例えばポリカーボネート）製であり、円盤状の底部材３４ａの中央部の開口３４ｂから円筒状の筒状部材３４ｃがさらに後方に向けて延出し、筒状部材３４ｃの後端を底部材３４ｄで閉塞した構造を有している。
【００５１】
なお、底部材３４ａの外径寸法は、回転体３２の外径寸法とほぼ同一に設定されている。また、開口３４ｂの内径寸法および筒状部材３４ｃの内径寸法は、支持部３１のフランジ部３１ｂの外径寸法よりも大きく設定されている。
【００５２】
そして、カバー３４は、筒状部材３４ｃが支持部３１のフランジ部３１ｂを内包する状態で、底部材３４ａを回転体３２の筒状部材３２ｃの後端部にビス止めすることで回転体３２に取り付けられる。
【００５３】
さらに、底部材３４ｄと回転体３２とに挟まれ、フランジ部３１ｂの平面３１ｃと、隣接するフランジ部３１ｂの側面３１ｄと、筒状部材３４ｃの内周面３４ｅとの間に形成される３箇所の空間には、球状の球体３６がそれぞれ配置されている。
【００５４】
なお、この球体３６の径寸法が支持部３１の側面と筒状部材３４ｃの内周面３４ｅとの間の距離寸法よりも若干小さく設定されている。そして、球体３６は、カバー３４を回転体３２に取り付ける際に、前記空間内に配置すればよい。
【００５５】
このことにより、支持部３１が回転体３２およびカバー３４に対して相対的に右回り（時計回り）に回転すると、支持部３１のフランジ部３１ｂの側面３１ｄとカバー３４の筒状部材３４ｃの内周面３４ｅとの間に球体３６が挟まり、支持部３１とカバー３４とが球体３６を介して一体となる。そして、右回りに回転する支持部３１とカバー３４とが球体３６を介して一体となっている間は、右回りに回転する支持部３１が球体３６を介してカバー３４を押圧して右回りに回転させる。一方、支持部３１が回転体３２およびカバー３４に対して相対的に左回り（反時計回り）に回転する場合には、支持部３１のフランジ部３１ｂの平面３１ｃに球体３６が当接した状態となり、回転体３２およびカバー３４は支持部３１の回転状態には拘束されない状態となる。
【００５６】
［１．４．基板４０の構成の説明］
基板４０は円形に形成され、筐体１０の蓋部材１２の内面側中央部に取り付けられている。具体的には、基板４０の外縁部には、円弧状の８つの切り欠き４０ａが等間隔に形成されており、この切り欠き４０ａに内挿されたビス４２が、蓋部材１２の中央部に形成された８つのボス部１２ｂにそれぞれ取り付けられている。
【００５７】
そして、基板４０の表面には、８個のＬＥＤ４１が円周上の等角度となる方向にそれぞれ実装されている。なお、８個のＬＥＤ４１が配置される円周の中心線は、押しボタン２０の中心線と一致するよう設定されている。
【００５８】
また、基板４０は、遊技機が備える電源部（図示省略）と電気線（図示省略）で電気的に接続されており、電源部から電力供給を受けるようになっている。なお、この電気線は、箱体１１の開口１１ｅまたは開口１１ｆを利用して配線される。
【００５９】
［１．５．フォトセンサ５０の構成の説明］
フォトセンサ５０は、光を放射する放射部と、放射部が放射した光を受光する受光部と、を備えており、放射部と受光部とが遮蔽板２１ｃを挟んで対峙するよう配置された状態で、箱体１１の前壁に形成されたボス部１１ｈにビス（図示省略）で固定されている。また、フォトセンサ５０は、基板４０と電気線（図示省略）とで電気的に接続されている。
【００６０】
なお、遮蔽板２１ｃは、押しボタン２０が後方へ移動するとこれに伴って後方に移動して放射部と受光部との間に位置し、一方、押しボタン２０が前方に移動するとこれに伴って前方に移動して放射部と受光部との間から離間するように設定されている。
【００６１】
そして、フォトセンサ５０は、放射部によって放射された光が受光部に届く状態では出力信号を基板４０には出力せず、放射部によって放射された光が遮蔽板２１ｃに遮られて受光部に届かない状態となると出力信号を基板４０に出力するようになっている。
【００６２】
また、基板４０には、制御部として機能する電気回路が実装されており、フォトセンサ５０からの出力信号が入力されると、ＬＥＤ４１を制御してロータリー３０に向けて光を照射させる。
【００６３】
［１．５．特許請求の範囲との対応関係の説明］
次に、特許請求の範囲との対応関係を説明する。
すなわち、押しボタン２０のドーム部２１が操作部に該当する。また、ロータリー３０の回転体３２が演出部に該当する。また、筐体１０の棚部材１３の開口１３ｅおよび押しボタン２０のボタン基部２２と回転シャフト２３が伝達機構に該当する。なお、このうちの回転シャフト２３が回転軸に該当し、棚部材１３の開口１３ｅが回転補助部に該当する。また、フォトセンサ５０が検出部に該当する。また、ＬＥＤ４１が光源に該当する。また、基板４０が制御部に該当する。
【００６４】
［２．ボタンユニット１の動作の説明］
次に、ボタンユニット１の動作を、図面を参照しながら説明する。
図３および図４に示すように、初期状態では、押しボタン２０が、コイルばね２７の付勢力によってフランジ２１ｂが箱体１１の開口１１ｄの縁部に当接する状態となっている。このとき、フォトセンサ５０は押しボタン２０の遮蔽板２１ｃを検知しないために信号を出力せず、ＬＥＤ４１も光を回転体３２に照射しない。
【００６５】
次に、遊技者が押しボタン２０のドーム部２１を押すと、ボタンユニット１は次のように動作する。すなわち、上述のように、押しボタン２０は、筒状部材１３ｂに内挿される筒状部材２２ｃの先端が棚部材１３の底部材１３ｃに当接するまで後方へ移動可能となっており、遊技者が押しボタン２０のドーム部２１を押すと、棚部材１３の開口１３ｅの内部に位置するスクリュー形状の中央部２３ａの位置が変化して、中央部２３ａが開口１３ｅの内部で右回り（時計回り）に回転し、これに伴って回転シャフト２３が右回りに回転する。このように回転シャフト２３が右回りに回転すると、これに伴ってロータリー３０の支持部３１が右回りに回転し、支持部３１のフランジ部３１ｂの側面３１ｄとカバー３４の筒状部材３４ｃの内周面３４ｅとの間に球体３６が挟まって支持部３１とカバー３４とが球体３６を介して一体となり、右回りに回転する支持部３１が球体３６を介してカバー３４を押圧してロータリー３０が右回りに回転する。
【００６６】
このとき、フォトセンサ５０が遮蔽板２１ｃを検知して信号を基板４０へ出力し、フォトセンサ５０からの出力信号が入力された基板４０が８個のＬＥＤ４１を制御して光を回転体３２にそれぞれ照射させる。８個のＬＥＤ４１から照射された光は、回転する羽根３２ｂの裏面に反射され、回転体３２の押しボタン２０のドーム部２１を透過して演出を行い、ボタンユニット１の演出効果を増大させる。
【００６７】
また、このように遊技者が押しボタン２０のドーム部２１を押すと、ボタン基部２２の底部材２２ｂと棚部材１３の底部材１３ｃとの間の距離が小さくなって、ボタン基部２２の底部材２２ｂと棚部材１３の底部材１３ｃとの間に配置されるコイルばね２７を押し縮め、押しボタン２０を前方へ押圧するコイルばね２７の付勢力が大きくなる。
【００６８】
一方、遊技者が押しボタン２０を押すのを途中で止めると、押しボタン２０の移動が止まって支持部３１が回転体３２およびカバー３４に対して相対的に左回り（反時計回り）に回転する状態となり、支持部３１のフランジ部３１ｂの平面３１ｃに球体３６が当接した状態となって回転体３２およびカバー３４は支持部３１の回転状態には拘束されない状態となり、回転体３２は慣性力で回転し続ける。このとき、フォトセンサ５０が遮蔽板２１ｃを検知し続けるために信号を基板４０へ出力し続け、基板４０によって制御されるＬＥＤ４１が光を回転体３２に照射し続ける。
【００６９】
なお、遊技者が途中まで押された押しボタン２０から手を離すと、押しボタン２０がコイルばね２７の付勢力によってフランジ２１ｂが箱体１１の開口１１ｄの縁部に当接するまで前方に移動して元の位置に戻るが、支持部３１が回転体３２およびカバー３４に対して相対的に左回り（反時計回り）に回転する状態は変わらず、回転体３２は慣性力で回転し続ける。このとき、フォトセンサ５０は遮蔽板２１ｃを検知しないために信号を出力せず、ＬＥＤ４１も光を回転体３２に照射しなくなり、上述の初期状態に戻る。
【００７０】
また、遊技者が押しボタン２０を最後まで押すと、押しボタン２０の筒状部材２２ｃの先端が棚部材１３の底部材１３ｃに当接して押しボタン２０の後方への移動が止まり、支持部３１が回転体３２およびカバー３４に対して相対的に左回り（反時計回り）に回転する状態となり、支持部３１のフランジ部３１ｂの平面３１ｃに球体３６が当接した状態となって回転体３２およびカバー３４は支持部３１の回転状態には拘束されない状態となり、回転体３２は慣性力で回転し続ける。このとき、フォトセンサ５０が遮蔽板２１ｃを検知し続けるために信号を基板４０へ出力し続け、基板４０によって制御されるＬＥＤ４１が光を回転体３２に照射し続ける。
【００７１】
なお、遊技者が最後まで押された押しボタン２０から手を離すと、押しボタン２０がコイルばね２７の付勢力によってフランジ２１ｂが箱体１１の開口１１ｄの縁部に当接するまで前方に移動して元の位置に戻るが、支持部３１が回転体３２およびカバー３４に対して相対的に左回り（反時計回り）に回転する状態は変わらず、回転体３２は慣性力で回転し続ける。このとき、フォトセンサ５０は遮蔽板２１ｃを検知しないために信号を出力せず、ＬＥＤ４１も光を回転体３２に照射しなくなり、上述の初期状態に戻る。
【００７２】
［３．実施形態の効果］
（１）このように本実施形態のボタンユニット１によれば、回転体３２が押しボタン２０のドーム部２１の移動に伴って動的に変化することで演出を行うことが可能であり、ドーム部２１が遊技者による押圧動作によって移動すると、筐体１０の棚部材１３の開口１３ｅおよび押しボタン２０のボタン基部２２と回転シャフト２３がドーム部２１の移動を伝達することで回転体３２に動的変化を行わせる。
【００７３】
このことにより、当該ボタンユニット１による演出効果としては従来にない視覚効果を得ることができる。なお、このような演出効果を得るために振動モータなどの動力源を必要としない。したがって、動力源を必要とせず、新鮮な演出効果を得ることが可能な遊技機用のボタンユニット１を提供することができる。
【００７４】
（２）また、本実施形態のボタンユニット１によれば、ドーム部２１の移動に伴って回転体３２を回転させることで遊技者の視覚に訴える新鮮な演出効果を得ることができる。
（３）また、本実施形態のボタンユニット１によれば、ドーム部２１に伴って動的変化を行う回転体３２に光を照射することで、遊技者の視覚に訴える新鮮な演出効果を得ることができる。
【００７５】
（４）また、本実施形態のボタンユニット１によれば、このように構成された本発明の遊技機のボタンユニットによれば、回転中の回転体３２がＬＥＤ４１によって照射される光を反射することにより、遊技者の視覚に訴える新鮮な演出効果を得ることができる。
【符号の説明】
【００７６】
１…ボタンユニット、１０…筐体、１１…箱体、１１ａ…開口、１１ｂ…取付孔、１１ｃ…ボス部、１１ｄ，１１ｅ，１１ｆ…開口、１１ｇ，１１ｈ…ボス部、１２…蓋部材、１２ｂ…ボス部、１３…棚部材、１３ａ…板材、１３ｂ…筒状部材、１３ｃ…底部材、１３ｄ，１３ｅ…開口、２０…押しボタン、２１…ドーム部、２１ａ…先端、２１ｂ…フランジ、２１ｃ…遮蔽板、２１ｄ…筒状部材、２２…ボタン基部、２２ａ…筒状部材、２２ｂ…底部材、２２ｃ…筒状部材、２２ｄ…開口、２２ｅ…舌片、２２ｆ…返し、２３…回転シャフト、２３ａ…中央部、２３ｂ…前端部、２３ｃ…後端部、２３ｄ，２３ｅ…取付孔、２４…軸受け、２５…板材、２５ａ…貫通孔、２６…ビス、２７…コイルばね、３０…ロータリー、３１…支持部、３１ａ…貫通孔、３１ｂ…フランジ部、３１ｃ…平面、３１ｄ…側面、３２…回転体、３２ａ…回転基部、３２ｂ…羽根、３２ｃ…筒状部材、３４…カバー、３４ａ…底部材、３４ｂ…開口、３４ｃ…筒状部材、３４ｄ…底部材、３４ｅ…内周面、３５…ビス、３６…球体、４０…基板、４０ａ…切り欠き、４１…センサ、４２…ビス、５０…フォトセンサ
【図１】
0005421089.tif 000002
【図２】
0005421089.tif 000003
【図３】
0005421089.tif 000004
【図４】
0005421089.tif 000005